(57)【要約】【課題】  シェルの強度を向上させた構造とすることができること。【解決手段】  内部ハウジング２１を覆う第１シェル３１と、外部ハウジング４１を覆う第２シェル５１とを有し、前記第１及び第２シェル３１，５１とは互いに接続する接触部３６ｃ，３７ｃ，５６，５７を有し、前記接触部３６ｃ，３７ｃ，５６，５７の少なくとも一方は弾性を有し、前記第２シェル５１は前記第１シェル３の前記接触部３６ｃ，３７ｃと前記第２シェル５１の前記接触部５６，５７とが当接し前記第１シェル３１と前記第２シェル５１の接触部３６ｃ，３７ｃ又は５６，５７の一方が弾性変位した際の荷重を受けるための受け部５５ａ，５５ｂが設けられた部材５５を有する。【選択図】図１
2006310164.tif 000002
【特許請求の範囲】
【請求項１】
導電性のコンタクトと、該コンタクトを保持する絶縁性のハウジングと、該ハウジングを覆う導電性のシェルとを含むコネクタにおいて、
前記ハウジングは、前記コンタクトを保持する内部ハウジングと、外部ハウジングとを有し、
前記シェルは、前記内部ハウジングを覆う第１シェルと、前記外部ハウジングを覆う第２シェルとを有し、
前記第１シェルと前記第２シェルのそれぞれは、互いに接続する接触部を有し、
前記第１シェルと前記第２シェルの接触部の少なくとも一方は弾性を有し、
第２シェルは、前記第１シェルの前記接触部と前記第２シェルの前記接触部とが当接して、前記第１シェル及び前記第２シェルの前記接触部の少なくとも一方が弾性変位した際の荷重を受けるための受け部が設けられた部材を有することを特徴とするコネクタ。
【請求項２】
請求項１記載のコネクタにおいて、前記部材は板形状を呈しており、前記第２接触部は、前記部材から折り返されている前記受け部よって前記第２接触部が抑えられていることを特徴とするコネクタ。
【発明の詳細な説明】
【技術分野】
【０００１】
本発明は、第１シェルと第２シェルとを電気的にシールド接続させるコネクタに関する。
【背景技術】
【０００２】
従来のコネクタは、コンタクトを保持している内部ハウジングと、内部ハウジングを保持している第１シェルと、第１シェルを保持している外部ハウジングと、外部ハウジングを覆っている第２シェルとを有している。
【０００３】
第１シェルと第２シェルとは、内部ハウジングを挟持するように互いに対向して内部ハウジングを被覆しかつ互いに係合して接続される。また、第１シェル又は第２シェルの一方には、第１シェル又は第２シェルと接続する弾性部が設けられている（例えば、特許文献１を参照）。
【０００４】
【特許文献１】特開２００５−３８７２５号公報
【発明の開示】
【発明が解決しようとする課題】
【０００５】
特許文献１のコネクタでは、第１シェルと第２シェルとを接続するために設けた弾性部の荷重によって第１シェルが変形してしまうという問題がある。
【０００６】
また、このような変形に対する対策としては、第２シェルの外側に外部ハウジングを設けて弾性荷重を受ける必要があるので、コネクタの外形寸法が大きくなってしまうという問題がある。
【０００７】
それ故に、本発明の課題は、外形寸法に影響を与えることなく、電気的な接続を行なうことができるコネクタを提供することにある。
【０００８】
また、本発明の他の課題は、シェルの強度を向上させた構造とすることができるコネクタを提供することにある。
【課題を解決するための手段】
【０００９】
本発明は、導電性のコンタクトと、該コンタクトを保持する絶縁性のハウジングと、該ハウジングを覆う導電性のシェルとを含むコネクタにおいて、前記ハウジングは、前記コンタクトを保持する内部ハウジングと、外部ハウジングとを有し、
前記シェルは、前記内部ハウジングを覆う第１シェルと、前記外部ハウジングを覆う第２シェルとを有し、前記第１シェルと前記第２シェルのそれぞれは、互いに接続する接触部を有し、前記第１シェルと前記第２シェルの接触部の少なくとも一方は弾性を有し、第２シェルは、前記第１シェルの前記接触部と前記第２シェルの前記接触部とが当接して、前記第１シェル及び前記第２シェルの前記接触部の少なくとも一方が弾性変位した際の荷重を受けるための受け部が設けられた部材を有するコネクタであることを最も主要な特徴とする。
【発明の効果】
【００１０】
本発明のコネクタによれば、第１シェルの接触部と第２シェルの接触部とが当接して、第１シェル及び第２シェルの接触部の少なくとも一方が弾性変位した際の荷重を受けるための受け部が設けられた部材を有するので、コネクタの外形寸法に影響を与えることなく、第１シェルと第２シェルとの電気的なシールド接続を行なうことができるという利点がある。
【００１１】
また、第１シェルと第２シェルとは、弾性の荷重による変形を防ぐために第２シェルの強度を向上させることができる。
【発明を実施するための最良の形態】
【００１２】
本発明のコネクタは、導電性のコンタクトと、該コンタクトを保持する絶縁性のハウジングと、該ハウジングを覆う導電性のシェルとを含むコネクタにおいて、前記ハウジングは、前記コンタクトを保持する内部ハウジングと、外部ハウジングとを有し、前記シェルは、前記内部ハウジングを覆う第１シェルと、前記外部ハウジングを覆う第２シェルとを有し、前記第１シェルと前記第２シェルのそれぞれは、互いに接続する接触部を有し、前記第１シェルと前記第２シェルの接触部の少なくとも一方は弾性を有し、第２シェルは、前記第１シェルの前記接触部と前記第２シェルの前記接触部とが当接して、前記第１シェル及び前記第２シェルの前記接触部の少なくとも一方が弾性変位した際の荷重を受けるための受け部が設けられた部材を有することによりに実現した。
【実施例１】
【００１３】
図１は、本発明に係るコネクタの実施例１を示す断面図である。図２は、図１のコネクタを前方右側から見た状態の斜視図である。図３は、図１のコネクタを後方右側から見た状態の斜視図である。
【００１４】
図１乃至図３を参照して、コネクタは、４本からなる導電性のコンタクト１１と、コンタクト１１を保持している絶縁性の内部ハウジング２１と、内部ハウジング２１を覆う導電性の第１シェル３１と、第１シェル３１を覆う絶縁性の外部ハウジング４１と、外部ハウジング４１を覆う導電性の第２シェル５１とを有している。
【００１５】
図４は、図１に示したコネクタを分解した状態を示している。図４をも参照して、コンタクト１１は、内部ハウジング２に保持する保持部１３と、保持部１３の一側から延びている接触部１４と、保持部１３の他側から延びている先端部分に形成されている端子部１５と、を有している。
【００１６】
接触部１４は、相手側コネクタ（図示せず）の相手コンタクトと接触する部分である。端子部１５は、プリント回路基板のような基板（図示せず）のスルーホールに挿入されて半田により接続する部分である。
【００１７】
さらに、コンタクト１は、基板への接続形態に合わせて保持部１３と端子部１５との間において、保持部１３の近傍部分を略直角に曲げることによって全体が略Ｌ字形状を呈している。
【００１８】
内部ハウジング２１は、互いに平行な長板形状の一対の第１枠部２２，２３と、一対の第１枠部２２，２３間を接続している板形状の第２板部２４と、第１枠部２２，２３の長手方向の一辺間を接続している板形状の第３枠部２５と、第２及び第３枠部２４，２５間に形成されているコンタクト保持部２６と、コンタクト保持部２６から第２枠部２４を直交する一方向へ延びている嵌合板部２７とを有している。
【００１９】
第３枠部２５及びコンタクト保持部２６間には、コンタクト１１の接触部１４を嵌合板部２７の一面まで挿入するための複数の挿通孔２１ａが形成されている。挿通孔２１ａには、コンタクト１１の保持部１３が挿通孔２１ａの内壁に圧入されることによって保持されている。
【００２０】
コンタクト１１の保持部１３から曲げられている部分１１ａは、第２枠部２４に沿ってかつ互いに間隔をもって第２枠部２４上に並列に配置されている。コンタクト１１の端子部１５は、内部ハウジング２１の第２枠部２４を越えるように延びている。一対の第１枠部２２，２３の外面には、複数の係止部２１ｂ，２１ｃが形成されている。なお、内部ハウジング２１は、樹脂材を成型加工することによって作ることができる。
【００２１】
第１シェル３１は、互いに平行な板形状の一対の第１側板部３２，３３と、第１側板部３２，３３の長手方向に平行な辺のそれぞれに接続している一対の第１平板部３５，３６とを有している。
【００２２】
さらに、第１シェル３１は、一対の第１側板部３２，３３の長手方向を直交する辺のそれぞれに折り返し部３６ｂ，３７ｂを介して接続されている一対の第１接触部３６ｃ，３７ｃと、第１接触部３６ｃ，３７ｃ側で一方の第１平板部３５の辺から一方の第１平板部３５を直交する方向で第１平板部３５の外へ延びている端子部３８とを有している。
【００２３】
一対の第１接触部３６ｃ，３７ｃは、一対の第１側板部３２，３３の外面に対向しており、折り返し部３６ｂ，３７ｂに接続されており、片持ちバネ片のような弾性をもつ形状となっている。
【００２４】
一対の第１側板部３２，３３のそれぞれには、第１接触部３６ｃ，３７ｃ側に複数の係止爪３２ａ，３３ａが形成されている。また、第１平板部３５，３６には、複数の係止爪３５ａ，３６ａが形成されている。第１平板部３５の係止爪３５ａは、相手側コネクタが外部ハウジング４１に嵌合したときに相手側コネクタの相手シェルに接続する部分である。第１平板部３６の係止爪３６ａは、外部ハウジング４１に係止する部分である。
【００２５】
第１シェル３１は、一枚の導電板をプレスにより打ち抜き加工をした後に、曲げ加工することによって作られており、一対の第１側板部３２，３３と一対の第１平板部３４，３５とによって略四角筒状となっている。第１平板部３５の端子部３８は、基板（図示せず）のスルーホールに挿入されて基板のグランド導電部に半田によって接続される部分である。
【００２６】
内部ハウジング２１は、第１シェル３１の略四角筒状となっている部分に挿入され、第１シェル３１の係止爪３２ａ，３３ａが内部ハウジング２１の係止部２１ｂ，２１ｃに一対一に係止することにより保持されている。
【００２７】
外部ハウジング４１は、略四角筒形状に作られており、相手側コネクタの相手嵌合部（図示せず）が挿入されて嵌合する大きな嵌合部４１ａが形成されている外郭部４２と、外郭部４２の内側で相手嵌合部と嵌合する内郭部４３とを有している。
【００２８】
内郭部４３の内部には、コンタクト１１を保持している内部ハウジング２１と、内部ハウジング２１の外側を覆うように内部ハウジング２１に保持している第１シェル３１とが保持されている。内郭部４３の内壁面には、長溝状の係止部４３ａ，４３ｂが形成されている。係止部４３ａ，４３ｂには、第１シェル３１の係止爪３６ａが一対一に係止している。
【００２９】
第２シェル５１は、図５にも示すように、互いに対向している一対の第２側板部５２，５３と、一対の第２側板５２，５３を相互に接続している第２接続板部５４と、第２接続板部５４に接続している板形状の部材５５とを有している。
【００３０】
一対の第２側板部５２，５３及び第２接続板部５４は、外部ハウジング４１の嵌合部４１ａ及び内郭部４３の後側の開口部分４４を除く外部ハウジングの４１の外周面を覆っている。部材５５は、第２シェル３１を内郭部４３に保持した後の開口部分４４を覆っている。
【００３１】
一対の第２側板部５２，５３には、コネクタを基板に実装した後に、基板のスルーホール（図示せず）に挿入して基板のグランド用導電部に半田によって接続される複数の係止片５２ｃ，５３ｃと、第２ハウジング４１に第２シェル５１を保持するときに、第２ハウジング４１の底面へ曲げられて係止する係止片５２ｄ，５３ｄが形成されている。
【００３２】
部材５５と第２接続板部５４は互いに接続されて一体となっている。部材５５には、第１シェル３１の第１接触部３６ｃ，３７ｃと第２シェル５１の第２接触部５６，５７とが当接することによって、第１シェル３１の第１接触部３６ｃ，３７ｃが弾性変位した際の荷重を受けるための受け部５５ａ，５５ｂが形成されている。また、部材５５には、コネクタを基板に実装した後に、基板のスルーホール（図示せず）に挿入して基板のグランド用導電部に半田によって接続される端子部５５ｃ，５５ｄが形成されている。
【００３３】
一対の第２側板部５２，５３には、図５に示したように、第１シェル３１の第１接触部３６ｃ，３７ｃに一対一に接触させるための第２接触部５６，５７が形成されている。第１シェル３１と前記第２シェル５１のそれぞれは、第１接触部３６ｃ，３７ｃと第２接触部５６，５７とが互いに電気的にシールド接続する。第１シェル３１と第２シェル５１とは、互いに接続することによってシールド性能を向上することができる。
【００３４】
さらに、第２接触部５６，５７は、第２シェル５の部材５５から折り返された受け部５５ａ，５５ｂによって抑えられることによって、第２シェル５１の変形を防ぎ電気的に安定した接続を維持する。
【００３５】
なお、本実施例において、第１シェル３１に弾性を有する第１接触部３６ｃ，３７ｃを形成しているが、第２シェル５１の第２接触部５６，５７を弾性を有する接触部としてもよい。
【００３６】
また、コンタクト１１は４本であるが、３本以下であっても５本以上であってもよい。さらに、第１シェル３１及び第２シェル５１のそれぞれは一体構造であるが、それぞれが複数体構造であってもよい。
【産業上の利用可能性】
【００３７】
本発明は、第１シェルと第２シェルとによって基板にシールドされる多種形状の基板実装型コネクタの用途として適用できる。
【図面の簡単な説明】
【００３８】
【図１】本発明に係るコネクタの断面図である（実施例１）。
【図２】図１に示したコネクタを前方右側から見た状態の斜視図である。
【図３】図１に示したコネクタを後方右側から見た状態の斜視図である。
【図４】図１に示したコネクタを図３に示した方向で分解して示した斜視図である。
【図５】図４に示したコネクタの外部シェルとプレート部材を省略した状態を示した斜視図である。
【符号の説明】
【００３９】
２１    内部ハウジング
３１    第１シェル
４１    外部ハウジング
５１    第２シェル
３６ｃ，３７ｃ    第１接触部
５５    部材
５５ａ，５５ｂ    受け部
５６，５７    第２接触部
【図１】
2006310164.tif 000003
【図２】
2006310164.tif 000004
【図３】
2006310164.tif 000005
【図４】
2006310164.tif 000006
【図５】
2006310164.tif 000007